(57)【要約】【課題】１つのジョブにおいて、ある部品に、他の部品への悪影響を回避しつつ、その部品に適した網点化処理を施すことができる網点化処理装置、および、コンピュータを、その網点化処理装置として動作させる網点化処理プログラムを提供する。【解決手段】１つ以上の部品が配置されるページを取得するページ取得部７１０と、ページ取得部７１０で取得されたページ上のオブジェクトをオブジェクトの種類に基づいて複数のグループに分類する分類部７４０と、上記のページ上のオブジェクトのうち、分類部７４０で分類された特別設定グループのオブジェクトについては、そのグループに応じた網点構造を用いる網点化処理を施す網点化部７５０とを備えた。【選択図】        図４
2006211240.tif 000002
【特許請求の範囲】
【請求項１】
１つ以上の部品が配置されるページを取得するページ取得部と、
前記ページ取得部で取得されたページ上の部品を部品の種類に基づいて複数のグループに分類する分類部と、
前記ページ上の部品のうち、前記複数のグループの少なくとも一部の複数グループに分類された部品については、各グループに応じた網点構造を用いる網点化処理を施す網点化部とを備えたことを特徴とする網点化処理装置。
【請求項２】
前記部品が、部品の種類を表わす種類情報を付与されたものであり、
前記分類部が、前記部品に付与されている種類情報を用いて該部品を分類するものであることを特徴とする請求項１記載の網点化処理装置。
【請求項３】
ユーザの操作を受けて、前記分類部に対し、各グループに属すべき部品の種類を設定する種類設定部と、
ユーザの操作を受けて、前記網点化部に対し、各グループに応じた網点構造を設定する網点設定部とを備え、
前記分類部が、前記種類設定部で設定された部品の種類で部品を分類するものであり、
前記網点化部が、前記網点設定部で設定された網点構造を用いる網点化処理を施すものであることを特徴とする請求項１記載の網点化処理装置。
【請求項４】
前記分類部が、部品を、自然画像を表す部品の第１グループと、少なくともグラフィック画像の部品を含む第２グループとを含む複数のグループに分類するものであり、
前記網点化部が、前記第１グループの部品については、色の濃さを網点数で表現した網点構造を用いる網点化処理を施し、該第１グループを除くグループのうち少なくとも前記第２グループについては、色の濃さを個々の網点の大きさで表現した網点構造を用いる網点化処理を施すものであることを特徴とする請求項１記載の網点化処理装置。
【請求項５】
コンピュータに組み込まれ、該コンピュータ上で、
１つ以上の部品が配置されるページを取得するページ取得部と、
前記ページ取得部で取得されたページ上の部品を部品の種類に基づいて複数のグループに分類する分類部と、
前記ページ上の部品のうち、前記複数のグループの少なくとも一部の複数グループに分類された部品については、各グループに応じた網点構造を用いる網点化処理を施す網点化部とを構築することを特徴とする網点化処理プログラム。
【発明の詳細な説明】
【技術分野】
【０００１】
本発明は、網点化処理を実行する網点化処理装置、および、コンピュータをその網点化処理装置として動作させる網点化処理プログラムに関する。
【背景技術】
【０００２】
原稿に基づいて印刷物を作成する際には、原稿に網点化処理が施されて、その原稿を網点で表現した網点画像が作成される。また、カラーの印刷物が作成される場合には、例えばシアン（Ｃ）、マゼンタ（Ｍ）、イエロー（Ｙ）、墨（Ｋ）等といった複数色それぞれの網点画像が作成され、それら複数色の網点画像が重ね合わされてカラーの画像が表現される。印刷で用いられる網点構造には、色の濃さを網点数で表現したＦＭ網点と呼ばれる網点構造や、色の濃さを個々の網点の大きさで表現したＡＭ網点と呼ばれる網点構造といった複数の網点構造があり、印刷物の作成の際には、これら複数の網点構造の中から、所望の網点構造が選ばれて網点化処理が行なわれる。
【０００３】
ここで、例えば小冊子一冊分のページの印刷作業（ジョブ）において、網点化処理で用いる網点構造を指定する効率的な方法の１つとして、ジョブで実行される一連の処理それぞれの処理内容を指示するジョブチケットで、そのジョブでの網点化処理で用いる網点構造を指定するという方法が知られている（例えば、非特許文献１参照。）。
【非特許文献１】クレオジャパン株式会社著「Ｐｒｉｎｅｒｇｙ（登録商標）  Ｍｉｘｅｄ  ＡＭ／Ｓｔａｃｃａｔｏ  Ｓｃｒｅｅｎｉｎｇ」
【発明の開示】
【発明が解決しようとする課題】
【０００４】
ここで、上記のＦＭ網点は、特に、写真に代表される自然画像に対して、画像の彩度の向上や、重ね合わされた網点画像どうしの干渉に起因するいわゆるモアレの発生の抑制というような効果を有していることが知られている。一方で、このＦＭ網点には、グラフィック画像等の階調変化が少ない画像に対しては、画像に、目立ったザラツキやムラを生じさせてしまう等といった欠点を有していることも知られている。
【０００５】
ところで、一般に、１つのジョブで扱われる部品の中には複数種類の部品が混在している。その混在の状態には、例えば、１つのジョブ中で印刷される複数のページに、自然画像を表わす部品が載ったページとグラフィック画像を表わす部品が載ったページとの両方が含まれていたり、あるいは、１ページ中に自然画像を表わす部品とグラフィック画像を表わす部品との両方が配置されていたり等といった状態がある。このような場合、自然画像について高画質が得られるからといって、１つのジョブにおいてＦＭ網点を用いた網点化処理を行なってしまうと、自然画像を表わす部品については高画質が得られるが、その他の種類の部品についてはザラツキやムラが顕著に生じる等といった画質の低下を招いてしまう恐れがある。
【０００６】
本発明は、上記事情に鑑み、１つのジョブにおいて、ある部品に、他の部品への悪影響を回避しつつ、その部品に適した網点化処理を施すことができる網点化処理装置、および、コンピュータを、その網点化処理装置として動作させる網点化処理プログラムを提供することを目的とする。
【課題を解決するための手段】
【０００７】
上記目的を達成する本発明の網点化処理装置は、１つ以上の部品が配置されるページを取得するページ取得部と、
上記ページ取得部で取得されたページ上の部品を部品の種類に基づいて複数のグループに分類する分類部と、
上記ページ上の部品のうち、上記複数のグループの少なくとも一部の複数グループに分類された部品については、各グループに応じた網点構造を用いる網点化処理を施す網点化部とを備えたことを特徴とする。
【０００８】
例えば自然画像という種類の部品にはＦＭ網点を用いた網点化処理が適している等というように、ある特定の種類の部品には特定の網点構造を用いた網点化処理が適している場合がある。本発明の網点化処理装置では、上記ページ取得部で取得されたページ上の部品が、例えば自然画像やグラフィック画像等といった部品の種類に応じて複数のグループに分類される。そして、本発明の網点化処理装置によれば、これら複数のグループのうち、特定の網点構造を用いた網点化処理が適しているグループの部品についてのみ、その特定の網点構造を用いる網点化処理を施すという運用を実行することができる。即ち、本発明の網点化処理装置によれば、１つのジョブにおいて、ある部品に、他の部品への悪影響を回避しつつ、その部品に適した網点化処理を施すことができる。
【０００９】
ここで、本発明の網点化処理装置において、「上記部品が、部品の種類を表わす種類情報を付与されたものであり、
上記分類部が、上記部品に付与されている種類情報を用いてその部品を分類するものである」という形態は好ましい形態である。
【００１０】
この好ましい形態の網点化処理によれば、ページ上の個々の部品について、画像を分析する等といった困難な方法によらず、個々の部品に付与されている種類情報を参照して部品の種類を容易に知ることができる。つまり、この好ましい形態の網点化処理によれば、その種類情報を用いて部品を容易に分類することができる。
【００１１】
また、本発明の網点化処理装置は、「ユーザの操作を受けて、上記分類部に対し、各グループに属すべき部品の種類を設定する種類設定部と、
ユーザの操作を受けて、上記網点化部に対し、各グループに応じた網点構造を設定する網点設定部とを備え、
上記分類部が、上記種類設定部で設定された部品の種類で部品を分類するものであり、
上記網点化部が、上記網点設定部で設定された網点構造を用いる網点化処理を施すものである」という形態であっても良く、あるいは、
「上記分類部が、部品を、自然画像を表す部品の第１グループと、少なくともグラフィック画像の部品を含む第２グループとを含む複数のグループに分類するものであり、
上記網点化部が、上記第１グループの部品については、色の濃さを網点数で表現した網点構造を用いる網点化処理を施し、その第１グループを除くグループのうち少なくとも上記第２グループについては、色の濃さを個々の網点の大きさで表現した網点構造を用いる網点化処理を施すものである」という形態であっても良い。
【００１２】
前者の形態の網点化処理装置によれば、ユーザは、この網点化処理装置に、所望の種類の部品に対して所望の網点構造を用いた網点化処理を施させることができ、後者の形態の網点化処理装置によれば、自然画像に対する望ましい網点化処理として知られている、色の濃さを網点数で表現したいわゆるＦＭ網点を用いた網点化処理と、グラフィック画像に対する望ましい網点化処理として知られている、色の濃さを個々の網点の大きさで表現したいわゆるＡＭ網点を用いた網点化処理とを、それぞれ自然画像とグラフィック画像とに、互いに悪影響を与えることなく施すことができる。
【００１３】
また、上記目的を達成する本発明の網点化処理プログラムは、コンピュータに組み込まれ、そのコンピュータ上で、
１つ以上の部品が配置されるページを取得するページ取得部と、
上記ページ取得部で取得されたページ上の部品を部品の種類に基づいて複数のグループに分類する分類部と、
上記ページ上の部品のうち、上記複数のグループの少なくとも一部の複数グループに分類された部品については、各グループに応じた網点構造を用いる網点化処理を施す網点化部とを構築することを特徴とする。
【００１４】
この本発明の網点化処理プログラムによれば、上述した、１つのジョブにおいて、ある部品に、他の部品への悪影響を回避しつつ、その部品に適した網点化処理を施すことができる網点化処理装置を容易に実現することができる。
【００１５】
なお、本発明の網点化処理プログラムについては、ここではその基本形態のみを示すのにとどめるが、これは単に重複を避けるためであり、本発明の網点化処理プログラムには、前述した網点化処理装置の各形態に対応する各種の形態が含まれる。
【発明の効果】
【００１６】
以上、説明したように、本発明によれば、１つのジョブにおいて、ある部品に、他の部品への悪影響を回避しつつ、その部品に適した網点化処理を施すことができる網点化処理装置、および、コンピュータを、その網点化処理装置として動作させる網点化処理プログラムを提供することができる。
【発明を実施するための最良の形態】
【００１７】
以下図面を参照して本発明の実施の形態を説明する。
【００１８】
図１は、本発明の網点化処理装置の一実施形態が適用される印刷−プルーフシステムを示す図である。
【００１９】
この図１に示す印刷−プルーフシステム１０は、ワークステーション１００と、３台のパーソナルコンピュータ２１０，２２０，２３０と、フィルムセッタ３１０と、プレートセッタ３２０と、プルーフシステム４１０と、ページプリンタ４２０と、大型プリンタ４３０とを備えている。
【００２０】
３台のパーソナルコンピュータ２１０，２２０，２３０それぞれには、例えばカラースキャナで画像が読み取られて取得された、画像を表わすＣＭＹＫ４色の色分解画像が入力される。そして、これら３台のパーソナルコンピュータ２１０，２２０，２３０それぞれでは、入力された画像に基づく電子的な集版が行なわれ、印刷用の一連のページが生成される。この印刷用のページは、いわゆるＰＤＬ（Ｐａｇｅ  Ｄｅｓｃｒｉｐｔｉｏｎ  Ｌａｎｇｕａｇｅ）で記述されたオブジェクトが１つ以上配置されてなるものであり、ワークステーション１００に入力される。
【００２１】
尚、この図１では、３台のパーソナルコンピュータ２１０，２２０，２３０が、印刷用の一連のページの生成元として示されているが、これらはページの生成元の一例に過ぎず、ワークステーション１００に接続されるページの生成元は、例えば、４台以上の多数のパーソナルコンピュータであっても良く、あるいは、２台以下の少数のパーソナルコンピュータであっても良く、あるいは、ワークステーション１００と同等なワークステーションであっても良く、あるいは、汎用コンピュータ以外のページ作成用の専用装置等であっても良い。
【００２２】
ここで、上記のＰＤＬで記述されたオブジェクトが、本発明にいう部品の一例に相当する。
【００２３】
ワークステーション１００では、入力された印刷用のページが、いわゆるＲＩＰ（Ｒａｓｔｅｒ  Ｉｍａｇｅ  Ｐｒｏｃｅｓｓｏｒ）により網点化処理を施されて、ＣＭＹＫ４色の網点画像が作成される。この網点画像は、印刷を行なう場合は、フィルムセッタ３１０、あるいはプレートセッタ３２０に入力される。
【００２４】
フィルムセッタ３１０では、その入力された網点画像に対応した、ＣＭＹＫ各版からなる印刷用フィルム原版が作成される。この印刷用フィルム原版からは、印刷用の刷版が作成される。また、プレートセッタ３２０では、網点画像に対応した、ＣＭＹＫ各版からなる印刷用の刷版が上記の印刷用フィルム原版を介することなく直接に作成される。このように作成された刷版が図示しない印刷機に装着される。そして、刷版にインクが塗布され、その塗布されたインクが印刷用の用紙上に転移されてその用紙上に印刷画像が形成される。
【００２５】
ここで、上記のように刷版を作成して印刷機に装着し、その刷版にインクを塗布して用紙上に印刷を行なうという一連の作業は、大掛かりな作業でありコストもかかる。このため、実際の印刷作業を行なう前に、プルーフシステム４１０、ページプリンタ４２０、および大型プリンタ４３０によってプルーフ画像を作成し、印刷画像の仕上りの事前確認が行なわれる。
【００２６】
プルーフ画像の作成にあたっては、ワークステーション１００に入力された印刷用のページと同じ一連のページが、このワークステーション１００からプルーフシステム４１０に入力される。このプルーフシステム４１０では、入力された一連のページに、ページプリンタ４２０や大型プリンタ４３０に適応した画像処理が施されるとともに網点化されて、プルーフ用の網点画像が作成される。作成されたプルーフ用の網点画像は、ページプリンタ４２０や大型プリンタ４３０に出力される。ページプリンタ４２０や大型プリンタ４３０では、プルーフ用の網点画像に基づいて、上記印刷機により印刷される画像を再現したプルーフ画像が用紙上に形成される。
【００２７】
以上に説明した印刷−プルーフシステム１０では、ワークステーション１００が本発明の網点化処理装置の一実施形態として動作する。以下、このワークステーション１００に注目して説明する。
【００２８】
このワークステーション１００は、外観構成上、本体装置１１０、その本体装置１１０からの指示に応じて表示画面１２０ａ上に画像を表示する画像表示装置１２０、本体装置１１０にキー操作に応じた各種の情報を入力するキーボード１３０、および、表示画面１２０ａ上の任意の位置を指定することにより、その位置に表示された、例えばアイコン等に応じた指示を入力するマウス１４０を備えている。
【００２９】
次に、このワークステーション１００の内部構成について説明する。
【００３０】
図２は、図１に示すワークステーションのハードウェア構成図である。
【００３１】
この図２に示すように、本体装置１１０の内部には、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、フレキシブルディスク（以降、ＦＤと呼ぶ）５２０が装填され、その装填されたＦＤ５２０をアクセスするＦＤドライブ１１４、ＣＤ−ＲＯＭ５１０をアクセスするＣＤ−ＲＯＭドライブ１１５、図１のパーソナルコンピュータ２１０，２２０，２３０等と接続され、これらの機器から上記の印刷用の一連のページ等を受け取る入力インタフェース１１６、および、図１のフィルムセッタ３１０等と接続され、これらの機器に向けて上記の網点画像等を出力する出力インタフェース１１７が内蔵されており、これらの各種要素と、さらに図２にも示す画像表示装置１２０、キーボード１３０、およびマウス１４０は、バス１５０を介して相互に接続されている。
【００３２】
ここで、ＣＤ−ＲＯＭ５１０には、ワークステーション１００を本発明の網点化処理装置の一実施形態として動作させるための網点化処理プログラムが記憶される。そして、これらの網点化処理プログラムが記憶されたＣＤ−ＲＯＭ５１０がＣＤ−ＲＯＭドライブ１１５に装填されると、そのＣＤ−ＲＯＭ５１０に記憶された網点化処理プログラムがこのワークステーション１００にアップロードされてハードディスク装置１１３に書き込まれる。これにより、ワークステーション１００は本発明の網点化処理装置の一実施形態として動作する。
【００３３】
以下、本発明の網点化処理プログラムおよび網点化処理装置それぞれの一実施形態について説明する。
【００３４】
まず、本発明の網点化処理プログラムの一実施形態について説明する。
【００３５】
図３は、本発明の網点化処理プログラムの一実施形態が記憶されたＣＤ−ＲＯＭを示す概念図である。
【００３６】
図３に示すＣＤ−ＲＯＭ５１０には、本発明の網点化処理プログラムの一実施形態である網点化処理プログラム６００が記憶されている。
【００３７】
この網点化処理プログラム６００は、ページ取得部６１０、種類設定部６２０、網点設定部６３０、分類部６４０、および網点化部６５０で構成されている。
【００３８】
網点化処理プログラム６００の各部の詳細については、本発明の網点化処理装置の一実施形態の各部の作用と併せて説明する。
【００３９】
図４は、図３に示す網点化処理プログラムが図１および図２に示すワークステーションにインストールされ、このワークステーションが本発明の網点化処理装置の一実施形態として動作するときの機能を表わす機能ブロック図である。
【００４０】
図４に示す網点化処理装置７００は、図１に示す３台のパーソナルコンピュータ２１０，２２０，２３０といった上流側の機器から、各ページにオブジェクトが１つ以上配置されてなる一連のページを１ジョブ毎に受け取り、各ページ上のオブジェクトに網点化処理を施す役割を担っており、ページ取得部７１０、種類設定部７２０、網点設定部７３０、分類部７４０、および網点化部７５０を備えている。ここで、ページ取得部７１０、種類設定部７２０、網点設定部７３０、分類部７４０、および網点化部７５０は、それぞれ本発明の網点化処理装置におけるページ取得部、種類設定部、網点設定部、分類部、および網点化部の各一例に相当する。
【００４１】
図３に示す網点化処理プログラム６００を図１および図２に示すワークステーション１００にインストールすると、網点化処理プログラム６００のページ取得部６１０は図４に示すページ取得部７１０を構成し、同様に、種類設定部６２０は種類設定部７２０を構成し、網点設定部６３０は網点設定部７３０を構成し、分類部６４０は分類部７４０を構成し、網点化部６５０は網点化部７５０を構成する。
【００４２】
図４に示す網点化処理装置７００のページ取得部７１０では、自然画像やグラフィック画像等といった１つ以上のオブジェクトＰ１からなる一連のページＰが取得される。
【００４３】
尚、このページ取得部７１０で取得される一連のページＰは、例えば３ページ目以前と４ページ目以降とでオブジェクトＰ１の種類が変わる、あるいは１ページ毎にオブジェクトＰ１の種類が変わる等というように、オブジェクトＰ１の種類がページ単位で変わるものであっても良く、あるいは、１ページ中に複数種類のオブジェクトＰ１が混在しているもの等であっても良い。
【００４４】
種類設定部７２０では、オブジェクトＰ１の様々な種類のうちの例えば自然画像等といった種類がユーザの操作を受けて設定される。ここで、この種類設定部７２０で設定される種類のことを、以下では特別設定種類と呼ぶ。
【００４５】
網点設定部７３０では、まず、網点化部７５０での網点化処理で基本的に用いられる網点構造を含む各種パラメータ（以後、デフォルトパラメータと呼ぶ）が、ユーザの操作を受けて設定される。さらに、この網点設定部７３０では、一連のページＰ上のオブジェクトＰ１のうち、上記の特別設定種類のオブジェクトに対して網点化部７５０で特別に用いられる網点構造を含む各種パラメータ（以後、特別設定パラメータと呼ぶ）が、ユーザの操作を受けて設定される。
【００４６】
分類部７４０では、上記のページ取得部７１０で取得されたページＰ上のオブジェクトＰ１のうち、上記の特別設定種類のオブジェクトが、他の種類のオブジェクトと分けられる。以下では、特別設定種類のオブジェクトのグループを特別設定グループと呼び、他の残りの種類のオブジェクトのグループをデフォルトグループと呼ぶ。ここで、各オブジェクトＰ１は、上述したようにＰＤＬで記述されており、このＰＤＬでは、オブジェクトＰ１の種類が、自然画像、グラフィック画像、あるいは文字画像等といった様々な種類のうちのどの種類であるかを明示する形式でオブジェクトＰ１が記述される。分類部７４０は、各オブジェクトＰ１において明示されているそのオブジェクトＰ１の種類に基づいて上記のような分類を行なう。
【００４７】
網点化部７５０では、一連のページＰ上のオブジェクトＰ１のうち、上記の分類部７４０でデフォルトグループに分類されたオブジェクトには、デフォルトパラメータを用いた網点化処理が施され、特別設定グループに分類されたオブジェクトには、特別設定パラメータを用いた網点化処理が施される。即ち、この網点化部７５０では、オブジェクトＰ１に対して、基本的に上記のデフォルトパラメータを用いた網点化処理が施され、上記の特別設定種類のオブジェクトについてのみ、上記の特別設定パラメータを用いた網点化処理が施される。この網点化処理により、上記のページ取得部７１０で取得された一連のページが印刷用の網点画像に変換され、この印刷用の網点画像が上述したフィルムセッタ３１０やプレートセッタ３２０に渡される。
【００４８】
また、ページプリンタ４２０および大型プリンタ４３０に接続されたプルーシステム４１０には、上記のページ取得部７１０で取得された一連のページがそのまま渡される。
【００４９】
次に、ユーザの操作によって実行される、上記のデフォルトパラメータの設定、および、上記の特別設定種類と特別設定パラメータの設定について説明する。
【００５０】
まず、デフォルトパラメータの設定ついて説明する。
【００５１】
図５は、デフォルトパラメータの設定画面を含む、網点化処理の操作画面を示す図である。
【００５２】
図５に示す操作画面７７０は、あるジョブで実行される一連の処理それぞれの処理内容を指示するジョブチケットを設定するための図示しない設定画面において、ユーザが網点化処理の操作画面の表示を指示すると表示されるものであり、この操作画面７７０には、解像度設定欄７７１と、パラメータ使用チェックボックス７７２と、デフォルトボタン７７３と、特別設定ボタン７７４と、開始ボタン７７５とが備えられている。また、この操作画面７７０が、図４の機能ブロック図に示された、種類設定部７２０と網点設定部７３０とを合わせた機能を担っている。
【００５３】
また、図５には、ユーザによってデフォルトボタン７７３がクリックされたときに操作画面７７０中に表示される、デフォルトパラメータの設定画面（以後、デフォルト設定画面と呼ぶ）７８０も示されている。
【００５４】
解像度設定欄７７１は、ドロップダウンメニューの中からユーザが所望の解像度を選択することにより網点画像の解像度を設定するものであり、表示部７７１ａと、メニュー指示部７７１ｂとを有している。ユーザが、メニュー指示部７７１ｂをクリックすると解像度についてのドロップダウンメニューが表示される。そして、ユーザが、そのドロップダウンメニューの中から所望の解像度を選択すると、選択された解像度が表示部７７１ａに表示され、網点画像の解像度が、その所望の解像度に設定される。
【００５５】
パラメータ使用チェックボックス７７２は、操作画面７７０で設定された、デフォルトパラメータ、特別設定種類、および特別設定パラメータといった各種情報の網点化処理における使用をユーザの操作を受けて許可するものである。ユーザが、パラメータ使用チェックボックス７７２をクリックして図５に示すようにチェック状態にすると、上記の各種情報を用いた網点化処理が許可される。一方、ユーザの操作によってパラメータ使用チェックボックス７７２がチェックなしの状態になった場合には、上記の各種情報を用いた網点化処理は行なわれず、図示しない初期パラメータを用いた網点化処理が、全オブジェクトについて実行される。以下では、このパラメータ使用チェックボックス７７２において、上記の各種情報の網点化処理における使用の許可が設定されていることを前提として説明を続ける。
【００５６】
ユーザがデフォルトボタン７７３をクリックすると、デフォルトパラメータを設定するためのデフォルト設定画面７８０が図５に示すように操作画面７７０中に表示される。また、ユーザが特別設定ボタン７７４をクリックすると、特別設定種類と特別設定パラメータとを設定するための特別設定画面が後述するように操作画面７７０中に表示される。
【００５７】
開始ボタン７７５は、この操作画面７７０での設定内容を承認するとともに網点化処理の開始を指示するものであり、ユーザがこの開始ボタン７７５をクリックすると、この操作画面７７０で設定された、デフォルトパラメータ、特別設定種類、および特別設定パラメータを用いた網点化処理が開始される。
【００５８】
次に、デフォルト設定画面７８０について説明する。
【００５９】
このデフォルト設定画面７８０では、ユーザの操作を受けてデフォルトパラメータが設定される。上記のデフォルトグループに分類されたオブジェクトには、このデフォルト設定画面７８０に表示されたデフォルトパラメータを用いた網点化処理が施される。このデフォルト設定画面７８０は、網点構造設定欄７８１と、階調補正設定欄７８２とを備えている。また、この図５には、後述するように、網点構造設定欄７８１において網点構造についての選択肢の一つであるＡＭ網点が設定され、その設定を受けて、ＡＭ網点のパラメータ表示画面７８３が表示された様子が示されている。
【００６０】
網点構造設定欄７８１は、ドロップダウンメニューの中からユーザが所望の網点構造を選択することにより網点化処理で用いられる網点構造を設定するものであり、表示部７８１ａと、メニュー指示部７８１ｂとを有している。ユーザが、メニュー指示部７７１ｂをクリックすると網点構造についてのドロップダウンメニューが表示される。そして、ユーザが、そのドロップダウンメニューの中から所望の網点構造を選択すると、選択された網点構造が表示部７８１ａに表示され、網点構造が、その所望の網点構造に設定される。
【００６１】
図６は、網点構造につてのドロップダウンメニューを示す図である。
【００６２】
この図６に示すドロップダウンメニュー７８１ｃで設定可能な網点構造は、色の濃さを個々の網点の大きさで表現したＡＭ網点と、色の濃さを網点数で表現したＦＭ網点との２種類である。
【００６３】
図５に戻って説明を続ける。
【００６４】
階調補正設定欄７８２は、ドロップダウンメニューの中からユーザが所望の階調補正を選択することによりオブジェクトに対する階調補正を設定するものであり、表示部７８２ａと、メニュー指示部７８２ｂとを有している。ここで、本実施形態では、補正の前後関係を定義する、互いに内容が異なる複数の階調補正曲線が図２に示す主メモリ１１２に格納されている。ユーザが階調補正設定欄７８２のメニュー指示部７８２ｂをクリックすると、上記の複数の階調補正曲線それぞれに付けられている名称が列記されたドロップダウンメニューが表示され、ユーザは、そのメニューの中から所望の階調補正曲線の名称を選択する。選択された名称は、表示部７８２ａに表示され、オブジェクトに対する階調補正が、所望の階調補正曲線に基づく階調補正に設定される。
【００６５】
この図５に示すデフォルト設定画面７８０で設定されるデフォルトパラメータによる網点化処理は、上記のデフォルトグループに分類される広範な種類のオブジェクトに施される。従って、デフォルトパラメータによる網点化処理は、広範な種類のオブジェクトについて良好な画質の網点画像が得られるものであることが望ましい。ここで、上記のＡＭ網点を用いた網点化処理によれば、グラフィック画像を含む広範な種類のオブジェクトについて、ザラツキやムラが抑制された良好な画質の網点画像が得られることが知られており、図６に示すドロップダウンメニュー７８１ｃ中の２種類の網点構造の中では、デフォルトグループのオブジェクトに適した網点構造としてＡＭ網点が設定されることが望ましい。
【００６６】
そこで、図５の例では、上記の網点構造設定欄７８１でＡＭ網点が設定され、それを受けて、ＡＭ網点のパラメータ表示画面７８３が表示された様子が示されている。以下では、このＡＭ網点のパラメータ表示画面７８３について説明する。また、上記の網点構造設定欄７８１でＦＭ網点が設定されたときに表示される、ＦＭ網点のパラメータ表示画面については、後述の特別設定画面と併せて説明する。
【００６７】
ＡＭ網点のパラメータ表示画面７８３では、ＡＭ網点をなす複数の点の配列における単位長さ当たりの行数である線数、ＡＭ網点における各網点の形状、および、ＣＭＹＫ４色それぞれについてのＡＭ網点の配列が所定の基準線との間になす角度である網角度が設定される。このＡＭ網点のパラメータ表示画面７８３には、パラメータ設定部７８３ａが設けられており、ＡＭ網点のパラメータは、ユーザが、パラメータ設定部７８３ａをクリックして、後述のパラメータ設定画面を表示させ、そのパラメータ設定画面の中から所望のパラメータを選択することによって設定される。選択されたパラメータは、ＡＭ網点のパラメータ表示画面７８３中の表示欄７８３ｃに表示され、ＡＭ網点のパラメータが、これら所望のパラメータに設定される。
【００６８】
図７は、ＡＭ網点のパラメータ設定画面を示す図である。
【００６９】
図７に示すパラメータ設定画面７８３ｂには、ＡＭ網点における各点の形状と線数の組７８３ｂ＿１と、ＡＭ網点における網角度７８３ｂ＿２とが列記されている。形状と線数の組７８３ｂ＿１については、例えば楕円（Ｅｌｌｉｐｔｉｃｄ）と１インチ当たり１５０線との組や、正方形（Ｓｑｕａｒｅ）と１インチ当たり２００線との組等といった、互いに内容が異なる複数の組が示され、網角度７８３ｂ＿２については、例えばＣＭＹＫ各色の網角度が、それぞれ１５度、４５度、０度、１７５度となる網角度（Ｎｏｍｉｎａｌ）を含む、互いに内容が異なる複数の網角度が示される。また、形状と線数との各組７８３ｂ＿１や、各網角度７８３ｂ＿２には、それぞれチェックボックスが設けられている。ユーザは、所望の形状と線数の組７８３ｂ＿１に対応するチェックボックスや、所望の網角度７８３ｂ＿２に対応するチェックボックスをクリックすることによって、ＡＭ網点のパラメータを設定することができる。図７および図５の例では、ユーザの操作によって、形状と線数の組が、正方形（Ｓｑａｒｅ）と１インチ当たり２００線との組に設定され、網角度が上記のＮｏｍｉｎａｌに設定されている。
【００７０】
以上に説明したデフォルト設定画面７８０で設定される、網点構造、階調補正曲線、および、設定された網点構造に対応する各種パラメータがデフォルトパラメータであり、本実施形態では、上記のデフォルトグループのオブジェクトには、これらのデフォルトパラメータを用いた網点化処理が施される。
【００７１】
次に、上記の特別設定画面における特別設定種類と特別設定パラメータとの設定手順について説明する。
【００７２】
図８は、特別設定画面を示す図である。
【００７３】
図８には、まず、図５にも示した操作画面７７０が示されている。ただし、この図８では、ユーザが特別設定ボタン７７４をクリックした結果、図５に示すデフォルト設定画面７８０に替えて特別設定画面７９０が表示された様子が示されている。
【００７４】
この特別設定画面７９０では、ユーザの操作を受けて特別設定種類と特別設定パラメータとが設定される。上述したように、ここで設定される特別設定種類は、オブジェクトの分類に用いられる。即ち、この特別設定種類のオブジェクトが上記の特別設定グループに分類され、それ以外の種類のオブジェクトが上記のデフォルトグループに分類される。そして、特別設定グループに分類されたオブジェクトに、この特別設定画面７９０で設定される特別設定パラメータを用いた網点化処理が施される。この特別設定画面７９０は、種類設定欄７９１と、網点構造設定欄７９２と、階調補正設定欄７９３とを備えている。また、この図８には、後述するように、網点構造設定欄７９２において網点構造についての選択肢の一つであるＦＭ網点が設定され、その設定を受けて、ＦＭ網点のパラメータ表示画面７９４が表示された様子が示されている。
【００７５】
種類設定欄７９１は、オブジェクトの様々な種類が記載されたドロップダウンメニューの中からユーザが所望の種類を選択することにより特別設定種類を設定するものであり、表示部７９１ａと、メニュー指示部７９１ｂとを有している。また、この種類設定欄７９１が、操作画面７７０の中で、図４の機能ブロック図に示された種類設定部７２０の機能を担っている。
【００７６】
ここで、様々な種類のオブジェクトの中には、上記のデフォルトパラメータを用いた網点化処理では良好な画質の網点画像が得られない、あるいは別の網点化処理の方が画質の一層良好な網点画像が得られる特別な種類のオブジェクトが存在する場合がある。この種類設定欄７９１では、ユーザの操作をうけて、そのような特別な種類が特別設定種類として設定される。ユーザは、種類設定欄７９１のメニュー指示部７９１ｂをクリックして、オブジェクトの種類についての次のドロップダウンメニューを表示させる。
【００７７】
図９は、オブジェクトの種類についてのドロップダウンメニューを示す図である。
【００７８】
オブジェクトの種類についてのドロップダウンメニュー７９１ｃでは、自然画像７９１ｃ＿３、自然画像とグラフィック画像７９１ｃ＿４、文字画像とグラフィック画像７９１ｃ＿５、文字画像７９１ｃ＿６、所定の線数以上の高線数の網点で表現される高線数の画像７９１ｃ＿７、および、所定の線数未満の低線数の網点で表現される低線数の画像７９１ｃ＿８という６種類の種類の中から特別設定種類を選ぶことができる。また、この種類についてのドロップダウンメニュー７９１ｃには、特別設定種類を設定しないという選択肢７９１ｃ＿１と、全種類のオブジェクトに特別設定パラメータを用いた網点化処理を施すという選択肢７９１ｃ＿２も設けられている。
【００７９】
ユーザは、この図９のドロップダウンメニュー７９１ｃの中から所望の種類を選択する。選択された種類は、図８の種類設定欄７９１の表示部７９１ａに表示され、特別設定種類が、その所望の種類に設定される。
【００８０】
図８に戻って説明を続ける。
【００８１】
網点構造設定欄７９２は、ドロップダウンメニューの中からユーザが所望の網点構造を選択することにより、種類設定欄７９１で設定された特別設定種類のオブジェクト、即ち上記の特別設定グループに分類されるオブジェクトに適した網点構造を設定するものであり、表示部７９２ａと、メニュー指示部７９２ｂとを有している。ユーザは、メニュー指示部７９２ｂをクリックして網点構造についてのドロップダウンメニューを表示させる。ここで、このドロップダウンメニューは、図６に示したドロップダウンメニュー７８１ｃと同じ、選択肢としてＡＭ網点とＦＭ網点との２つが設けられたメニューである。ユーザが、そのドロップダウンメニューの中から所望の網点構造を選択すると、選択された網点構造は、表示部７９２ａに表示され、網点構造が所望の網点構造に設定される。
【００８２】
階調補正設定欄７９３は、ドロップダウンメニューの中からユーザが所望の階調補正を選択することにより、上記の特別設定種類のオブジェクトに対する階調補正を設定するものであり、表示部７９３ａと、メニュー指示部７９３ｂとを有している。ユーザが階調補正設定欄７９３のメニュー指示部７９３ｂをクリックすると、複数の階調補正曲線それぞれに付けられている名称が列記されたドロップダウンメニューが表示され、ユーザは、そのドロップダウンメニューの中から所望の階調補正曲線の名称を選択する。これにより、特別設定種類のオブジェクトに対する階調補正が、所望の階調補正曲線に基づく階調補正に設定される。この設定において選択された階調補正曲線の名称は、表示部７９３ａに表示される。
【００８３】
上述したように、図５に示すデフォルト設定画面７８０では、デフォルトグループに分類される広範な範囲のオブジェクトに適した網点構造としてＡＭ網点が設定されることが望ましい。ここで、様々な種類のオブジェクトのうち、特に自然画像のオブジェクトについては、ＦＭ網点を用いた網点化処理によればモアレ等による画質の低下が抑制され、良好な画質の網点画像が得られることが知られており、また、グラフィック画像のオブジェクトについては、ＦＭ網点を用いた網点化処理を施してしまうと、ザラツキやムラが目立つ画質の低い網点画像が作られてしまうことが知られている。従って、デフォルト設定画面７８０で網点構造としてＡＭ網点が設定された場合には、図８に示す特別設定画面７９０では、特別設定種類として自然画像のみが設定され、その自然画像のオブジェクトに適した網点構造としてＦＭ網点が設定されることが望ましい。
【００８４】
図８の例では、上記の種類設定欄７９１で自然画像（Ｉｍａｇｅ）が設定され、網点構造設定欄７９２でＦＭ網点が設定され、その設定を受けて、ＦＭ網点のパラメータ表示画面７９４が表示された様子が示されている。
【００８５】
この図８の例に示すように種類設定欄７９１で自然画像が設定されると、図４に示す分類部７４０では、オブジェクトは、自然画像のオブジェクトの特別設定グループと、自然画像以外の、上記のグラフィック画像を含む広範な種類のオブジェクトのデフォルトグループとに分類される。ここで、自然画像のオブジェクトの特別設定グループが、本発明にいう「自然画像を表す部品の第１グループ」の一例に相当し、自然画像以外の、グラフィック画像を含む広範な種類のオブジェクトのデフォルトグループが、本発明にいう「少なくともグラフィック画像の部品を含む第２グループ」の一例に相当する。
【００８６】
このＦＭ網点のパラメータ表示画面７９４では、ＦＭ網点をなす各点のサイズが設定される。ＦＭ網点のパラメータ表示画面７９４には、パラメータ設定部７９４ａが設けられており、ユーザは、このパラメータ設定部７９４ａをクリックして、ＦＭ網点をなす各点の複数のサイズが列記されたパラメータ設定画面を表示させ、そのパラメータ設定画面の中から所望のサイズを選択する。これにより、ＦＭ網点をなす各点の複数のサイズが所望のサイズに設定される。設定されたサイズは、画像の解像度とともにこのＦＭ網点のパラメータ表示画面７９４の表示欄７９４ｂに表示される。
【００８７】
ここで、図８を参照して説明したＦＭ網点のパラメータ表示画面７９４は、図５に示すデフォルト設定画面７８０において、網点構造設定欄７８１でＦＭ網点が設定されたときに表示されるＦＭ網点のパラメータ設定画面と同等なものである。また、図８に示す特別設定画面７９０において、網点構造設定欄７９２でＡＭ網点が設定されたときに表示されるＡＭ網点のパラメータ設定画面は、図５を参照して説明したＡＭ網点のパラメータ表示画面７８３と同等なものである。
【００８８】
以上に説明した特別設定画面７９０で設定される、網点構造、階調補正曲線、および、設定された網点構造に対応するパラメータが特別設定パラメータである。本実施形態では、この特別設定画面７９０で設定された特別設定種類のオブジェクトが、上記の特別設定グループに分類され、さらに、この特別設定画面７９０で設定された特別設定パラメータを用いた網点化処理が、その特別設定グループのオブジェクトに施される。
【００８９】
次に、特別設定種類に基づいたオブジェクトの分類と、デフォルトパラメータおよび特別設定パラメータに基づいた網点化処理とについて説明する。尚、以下の説明では、図４に示す要素を特に図番を断らずに参照する。
【００９０】
図１０は、図４に示す網点化処理装置で実行される、１ジョブ分のページＰに対応するオブジェクトに網点化処理を施す処理を示すフローチャートである。
【００９１】
この図１０のフローチャートが示す処理は、図５および図８に示した操作画面７７０において、ユーザが開始ボタン７７５をクリックするとスタートする。ここで、この処理がスタートする前までには、１ジョブ分のページＰが取得されて、図２に示す主メモリ１１２に格納されており、さらに、上記のデフォルトパラメータ、特別設定種類、および特別設定パラメータの設定が終了し、それらの設定結果も主メモリ１１２に格納されているものとする。また、図１０のフローチャートが示す処理では、上記の１ジョブ分のページＰに対応するオブジェクトが１つずつ読み出されて網点化処理を施される。
【００９２】
処理がスタートすると、まず、デフォルトパラメータが網点化部７５０にセットされる（ステップＳ１０１）。次に、上記の１ジョブ分のページＰに対応するオブジェクトＰ１のうちの１つが分類部７４０に読み出される（ステップＳ１０２）。さらに、この分類部７４０に特別設定種類がセットされ、ステップＳ１０２で読み出されたオブジェクトが、特別設定種類に対応した特別設定グループと、それ以外の種類に対応したデフォルトグループとの２つのグループのうちのいずれか一方に分類される（ステップＳ１０３）。
【００９３】
以下の説明では、まずステップＳ１０３の処理によってオブジェクトが特別設定グループに分類された場合（ステップＳ１０３の処理におけるＹｅｓ判定）の処理について説明し、その後に、ステップＳ１０３の処理によってオブジェクトがデフォルトグループに分類された場合（ステップＳ１０３の処理におけるＮｏ判定）の処理について説明する。
【００９４】
ステップＳ１０３の処理によってオブジェクトが特別設定グループに分類された場合（ステップＳ１０３の処理におけるＹｅｓ判定）には、まず、ステップＳ１０１で網点化部７５０にセットされたデフォルトパラメータが解除され（ステップＳ１０４）、続いて、その網点化部７５０に特別設定パラメータがセットされる（ステップＳ１０５）。そして、その網点化部７５０が、特別設定グループのオブジェクトに特別設定パラメータを用いた網点化処理を施す（ステップＳ１０６）。その後に、特別設定パラメータが網点化部７５０から解除され、ステップＳ１０４で解除されたデフォルトパラメータが再びセットされる（ステップＳ１０７）。
【００９５】
また、ステップＳ１０３に処理によって、オブジェクトがデフォルトグループに分類された場合（ステップＳ１０３の処理におけるＮｏ判定）には、そのオブジェクトに、ステップＳ１０１で網点化部７５０にセットされたデフォルトパラメータを用いた網点化処理が網点下部７５０によって施される（ステップＳ１０８）。
【００９６】
以上のように、ステップＳ１０４〜ステップＳ１０７の処理、あるいはステップＳ１０８の処理によって、ステップＳ１０２で読み出されたオブジェクトに網点化処理が施されると、最後に、上記の１ジョブ分のページＰに対応するオブジェクトＰ１の中に未処理のオブジェクトがまだあるか否かが判定され（ステップＳ１０９）、オブジェクトがあれば（ステップＳ１０９の処理におけるＹｅｓ判定）、ステップ１０２に戻って次のオブジェクトが読み出され、そのオブジェクトに対して上記のステップＳ１０４〜ステップＳ１０７の処理、あるいはステップＳ１０８の処理による網点化処理が施される。
【００９７】
以上に説明したステップＳ１０２〜ステップＳ１０８の処理は、上記の１ジョブ分のページＰに対応するオブジェクトＰ１全てについて網点化処理が施され、ステップＳ１０９の処理によってオブジェクトがもう無いと判定される（ステップＳ１０９の処理におけるＮｏ判定）まで繰り返される。そして、このステップＳ１０９の処理によってオブジェクトがもう無いと判定される（ステップＳ１０９の処理におけるＮｏ判定）と、図１０のフローチャートが示す処理が終了する。
【００９８】
ここで、上述したように、ＦＭ網点を用いた網点化処理は、自然画像のオブジェクトについては良好な画質の網点画像が得られるという利点を有しているが、グラフィック画像等といったその他の種類のオブジェクトについては網点画像の画質の低下を招いてしまうという欠点を有している。しかしながら、以上に説明した本実施形態の網点化処理装置７００では、上記の特別設定種類として自然画像を設定し、さらに、上記の特別設定パラメータのうちの網点構造としてＦＭ網点を設定することにより、このように自然画像以外の種類のオブジェクトに悪影響を及ぼしてしまう恐れのあるＦＭ網点を用いた網点化処理を自然画像のオブジェクトのみに施すことができる。つまり、本実施形態の網点化処理装置７００によれば、１つのジョブにおいて、ある特別な種類のオブジェクトに適した網点化処理がある場合に、そのオブジェクトに、他のオブジェクトへの悪影響を回避しつつ、そのオブジェクトに適した網点化処理を施すことができる。
【００９９】
尚、上記では、本発明にいう分類部の一例として、オブジェクトを、ユーザの操作を受けて設定された特別設定種類のオブジェクトの特別設定グループと、特別設定種類以外のオブジェクトのデフォルトグループとの２つのグループに分類する分類部７４０を例示したが、本発明はこれに限るものではない。本発明の分類部は、例えば、自然画像等といった特別設定種類が予め固定的にセットされているものであって、オブジェクトをその固定的な特別設定種類に基づいて分類するもの等であっても良い。また、この場合、上記の分類部に固定的にセットされている特別設定種類に適した網点構造としての、例えば自然画像に適したＦＭ網点等といった網点構造と、特別設定種類以外の種類に適した網点構造としての、例えば広範な種類に適したＡＭ網点等といった網点構造とが、網点化部には予め固定的にセットされることとなる。
【０１００】
また、上記では、本発明にいう分類部の一例として、文字画像のオブジェクトも含む広範な種類のオブジェクトを分類対象とする分類部７４０を例示したが、本発明はこれに限るものではない。本発明の分類部は、例えば、文字画像のオブジェクトを分類対象から除くものであっても良く、あるいは、例えば、自然画像とグラフィック画像との２種類のオブジェクトのみを分類対象とするもの等であっても良い。
【図面の簡単な説明】
【０１０１】
【図１】本発明の網点化処理装置の一実施形態が適用される印刷−プルーフシステムを示す図である。
【図２】図１に示すワークステーションのハードウェア構成図である。
【図３】本発明の網点化処理プログラムの一実施形態が記憶されたＣＤ−ＲＯＭを示す概念図である。
【図４】図３に示す網点化処理プログラムが図１および図２に示すワークステーションにインストールされ、このワークステーションが本発明の網点化処理装置の一実施形態として動作するときの機能を表わす機能ブロック図である。
【図５】デフォルトパラメータの設定画面を含む、網点化処理の操作画面を示す図である。
【図６】網点構造につてのドロップダウンメニューを示す図である。
【図７】ＡＭ網点のパラメータ設定画面を示す図である。
【図８】特別設定画面を示す図である。
【図９】オブジェクトの種類についてのドロップダウンメニューを示す図である。
【図１０】図４に示す網点化処理装置で実行される、１ジョブ分のページに対応するオブジェクトに網点化処理を施す処理を示すフローチャートである。
【符号の説明】
【０１０２】
１０    印刷−プルーフシステム
１００    ワークステーション
１１０    本体装置
１１１    ＣＰＵ
１１２    主メモリ
１１３    ハードディスク装置
１１４    ＦＤドライブ
１１５    ＣＤ−ＲＯＭドライブ
１１６    入力インタフェース
１１７    出力インタフェース
１２０    画像表示装置
１２０ａ    表示画面
１３０    キーボード
１４０    マウス
１５０    バス
２１０，２２０，２３０    パーソナルコンピュータ
３１０    フィルムセッタ
３２０    プレートセッタ
４１０    プルーフシステム
４２０    ページプリンタ
４３０    大型プリンタ
５１０    ＣＤ−ＲＯＭ
５２０    フレキシブルディスク
６００    網点化処理プログラム
６１０    ページ取得部
６２０    種類設定部
６３０    網点設定部
６４０    分類部
６５０    網点化部
７００    網点化処理装置
７１０    ページ取得部
７２０    種類設定部
７３０    網点設定部
７４０    分類部
７５０    網点化部
７７０    操作画面
７７１    解像度設定欄
７７２    パラメータ使用チェックボックス
７７３    デフォルトボタン
７７４    特別設定ボタン
７７５    開始ボタン
７８０    デフォルト設定画面
７８１    網点構造設定欄
７８１ａ    表示部
７８１ｂ    メニュー指示部
７８１ｃ    網点構造についてのドロップダウンメニュー
７８２    階調補正設定欄
７８２ａ    表示部
７８２ｂ    メニュー指示部
７８３    ＡＭ網点のパラメータ設定画面
７８３ａ    パラメータ設定部
７８３ｂ    パラメータ設定画面
７８３ｂ＿１    ＡＭ網点における各点の形状と線数の組
７８３ｂ＿２    ＡＭ網点における網角度
７８３ｃ    表示欄
７９０    特別設定画面
７９１    種類設定欄
７９１ａ    表示部
７９１ｂ    メニュー指示部
７９１ｃ    種類についてのドロップダウンメニュー
７９１ｃ＿１    特別設定種類を設定しないという選択肢
７９１ｃ＿２    全種類のオブジェクトに特別設定パラメータを用いた網点化処理を施すという選択肢
７９１ｃ＿３    自然画像
７９１ｃ＿４    自然画像とグラフィック画像
７９１ｃ＿５    文字画像とグラフィック画像
７９１ｃ＿６    文字画像
７９１ｃ＿７    高線数の画像
７９１ｃ＿８    低線数の画像
７９２    網点構造設定欄
７９２ａ    表示部
７９２ｂ    メニュー指示部
７９３    階調補正設定欄
７９３ａ    表示部
７９３ｂ    メニュー指示部
７９４    ＦＭ網点のパラメータ表示画面
７９４ａ    パラメータ設定部
７９４ｂ    表示欄
【図１】
2006211240.tif 000003
【図２】
2006211240.tif 000004
【図３】
2006211240.tif 000005
【図４】
2006211240.tif 000006
【図５】
2006211240.tif 000007
【図６】
2006211240.tif 000008
【図７】
2006211240.tif 000009
【図８】
2006211240.tif 000010
【図９】
2006211240.tif 000011
【図１０】
2006211240.tif 000012